(57)【要約】  【課題】親などに犯罪の発生を即時に通報できる、防犯効果の大きい操作容易な緊急通報システムを提供する。  【解決手段】携帯電話連動型緊急通報装置１は、携帯電話２と無線通信可能な無線機器３を備え、携帯電話２には、子供８の自宅４の電話番号を登録する。無線機器３には、自宅４の電話番号１２に発信する発信手段５と、該発信手段５を起動させるひも７等を設ける。無線機器３としては、主にブルートゥースのヘッドセット又はハンズフリー機器を用い、携帯電話２を介して発信可能に構成する。【選択図】  図１
2006311142.tif 000002
【特許請求の範囲】
【請求項１】
携帯電話と通信可能なハンズフリー型無線機器を備えた緊急通報システムであって、前記携帯電話に緊急連絡先の電話番号が登録されていると共に、前記無線機器には、前記緊急連絡先の電話番号に前記携帯電話を介して発信する発信手段と、該発信手段を起動させる操作手段とが設けられていることを特徴とする緊急通報システム。
【請求項２】
携帯電話と通信可能なハンズフリー型無線機器を備えた緊急通報システムであって、前記ハンズフリー型無線機器に、緊急連絡先の電話番号が登録されていると共に、前記携帯電話を介して発信する発信手段と該発信手段を起動させる操作手段とが設けられていることを特徴とする緊急通報システム。
【請求項３】
上記無線機器は、上記操作手段がランドセル等の携帯品の外部に露呈するように取り付けられることを特徴とする請求項１又は２記載の緊急通報システム。
【請求項４】
上記携帯電話は、音声メッセージが登録される音声データ記憶部を有し、該音声メッセージは、上記緊急連絡先において受話されたときに出力されるように構成したことを特徴とする請求項１,２又は３記載の緊急通報システム。
【請求項５】
上記無線機器は、音声メッセージが登録される音声データ記憶部を有し、該音声メッセージは、上記緊急連絡先において受話されたときに出力されるように構成したことを特徴とする請求項１，２又は３記載の緊急通報システム。
【請求項６】
上記緊急連絡先には、上記携帯電話の現在位置をＧＰＳにより表示する表示手段が設置されていることを特徴とする請求項１，２,３,４又は５記載の緊急通報システム。
【発明の詳細な説明】
【技術分野】
【０００１】
本発明は緊急通報システムに関するものであり、特に、携帯電話とハンズフリーで連携して機能する緊急通報システムに関するものである。
【背景技術】
【０００２】
従来、携帯電話にはＧＰＳ機能を有する機種があり、該ＧＰＳ機能付き携帯電話を子供に持たせれば、子供の現在位置を知ることができるので、犯罪防止、例えば、塾通いの際の誘拐防止のために使用されることがある。また、緊急時の防犯対策として、アラーム音を発生させる防犯ブザー装置を携帯して使用することも多い（例えば、特許文献１）。
【特許文献１】特開平０８−２７３０７９号
【発明の開示】
【発明が解決しようとする課題】
【０００３】
従来の携帯電話は、主に子供の誘拐等の犯罪を防止する対策として使用されるが、子供の誘拐が親に気づかれて、子供の現在位置を調査開始する時は、誘拐事件が発生した後、かなりの時間が経過してからになることが多い。従って、子供の位置を調査した時点では、携帯電話を含む子供の所持品が既に捨てられていることが多いので、誘拐等の防犯が期待できない。
【０００４】
又、携帯電話には、発信用ホットキーにより発信できる機種もあるが、使用者が携帯電話自体を常に手で持っている訳ではないために、緊急時には発信できないことも少なくない。さらに、防犯ブザー装置を携帯して使用する場合は、使用者の近くに人が居るときに、その人に犯罪が起きていることを伝えるものである。従って、周囲に人が居るときは有効であるが、人通りが全くない田舎などでは犯罪の発生を伝えることができず、防犯効果を期待できないという欠点があった。
【０００５】
そこで、自宅等の特定の緊急連絡先に犯罪の発生を即時に自動通報できる使い勝手のよい緊急通報システムを提供するために解決すべき技術的課題が生じてくるのであり、本発明は該課題を解決することを目的とする。
【課題を解決するための手段】
【０００６】
本発明は上記目的を達成するために提案されたものであり、請求項１記載の発明は、携帯電話と通信可能なハンズフリー型無線機器を備えた緊急通報システムであって、前記携帯電話に緊急連絡先の電話番号が登録されていると共に、前記無線機器には、前記緊急連絡先の電話番号に前記携帯電話を介して発信する発信手段と、該発信手段を起動させる操作手段とが設けられている緊急通報システムを提供する。
【０００７】
この構成によれば、子供等の使用者は、携帯電話と通信可能なブルートゥース等の無線機器を携帯しておれば、携帯電話をランドセルやカバンに入れたままで、緊急事態発生時に、携帯電話に登録されている特定の緊急連絡先に即時に電話通報できる。たとえば、子供が誘拐されそうになった時、子供は操作手段により発信手段を起動させればよい。すると、携帯電話を介して、該携帯電話に登録済みの緊急連絡先の電話に発信され、子供に誘拐等の犯罪が起こった旨が通報される。
【０００８】
請求項２記載の発明は、携帯電話と通信可能なハンズフリー型無線機器を備えた緊急通報システムであって、前記ハンズフリー型無線機器に、緊急連絡先の電話番号が登録されていると共に、前記携帯電話を介して発信する発信手段と該発信手段を起動させる操作手
段とが設けられている緊急通報システムを提供する。
【０００９】
この構成においても、子供等は無線機器を携帯しておれば、携帯電話をランドセル等に入れたままで、無線機器に登録されている緊急連絡先に即時に電話通報できる。
【００１０】
請求項３記載の発明は、上記無線機器は、上記操作手段がランドセル等の携帯品の外部に露呈するように取り付けられる請求項１又は２記載の緊急通報システムを提供する。
【００１１】
この構成によれば、操作手段としてはひも又は押しボタンが使用され、ひも又は押しボタンがランドセル等の外部に操作可能に露呈するように取り付けられる。従って、例えば、ランドセル等を背負った子供が、夜間に塾帰りに路上で誘拐されそうになった時は、子供はひも又は押しボタンを操作するだけで、携帯電話対応型無線機器の発信手段が起動される。
【００１２】
請求項４記載の発明は、上記携帯電話は、音声メッセージが登録される音声データ記憶部を有し、該音声メッセージは、上記緊急連絡先において受話されたときに出力されるように構成した請求項１,２又は３記載の緊急通報システムを提供する。
【００１３】
この構成によれば、携帯電話側の音声データ記憶部には、「お母さん助けて」等の子供（利用者）の音声メッセージが予め登録される。この音声メッセージは緊急連絡先に発信して、親等が受話した時に自動的に音声出力される。従って、受話機をとった親等には、たとえ子供等が携帯電話を通じて話せないような状況下にある場合でも、子供等に犯罪などの異常事態が発生した旨が、子供等自身の音声によって確実に緊急通報される。
【００１４】
請求項５記載の発明は、上記無線機器は、音声メッセージが登録される音声データ記憶部を有し、該音声メッセージは、上記緊急連絡先において受話されたときに出力されるように構成した請求項１，２又は３記載の緊急通報システムを提供する。
【００１５】
この構成によれば、無線機器側の音声データ記憶部には、「お母さん助けて」等の子供の音声メッセージが予め登録され、この音声メッセージは緊急連絡先に発信し、親等が受話した時に自動的に音声出力される。従って、子供等は、携帯電話を介して自ら話せない状況下にあっても、無線機器に登録済みの音声によって親等に自動的に緊急通報できる。
【００１６】
請求項６記載の発明は、上記緊急連絡先には、上記携帯電話の現在位置をＧＰＳにより表示する表示手段が設置されている請求項１，２,３,４又は５記載の緊急通報システムを提供する。
【００１７】
この構成によれば、子供等が所持している携帯電話の現在位置情報は、緊急連絡先に設置された表示手段により即時に知ることができる。
【発明の効果】
【００１８】
請求項１記載の発明は、誘拐発生等の緊急時に子供等は、操作手段にて発信手段を起動させることにより、携帯電話を介して、該携帯電話に登録済みの緊急連絡先に電話通報できるので、緊急事態発生をリアルタイムで連絡でき、誘拐事件等の犯罪の拡大を未然に防止することができる。
【００１９】
請求項２記載の発明は、緊急時に子供等は、操作手段にて発信手段を起動させることにより、携帯電話を介して、無線機器に登録済みの緊急連絡先に電話通報できるので、携帯電話に緊急連絡先を登録しなくても、緊急事態発生をリアルタイムで自動通報することができる。
【００２０】
請求項３記載の発明は、無線機器の発信手段は、ランドセル等の外部に露呈するひも又は押しボタンを操作するのみで起動されるので、請求項１又は２記載の効果に加えて、無線機器の使い勝手が良く、携帯電話を介する連絡先への発信操作を容易迅速に実施でき、もって、高い防犯効果が期待できるというメリットを有する。
【００２１】
請求項４記載の発明は、連絡先の親等には、犯罪発生の事実が、携帯電話に登録済みの音声メッセージによって伝えられるので、請求項１,２又は３記載の効果に加えて、親等は、携帯電話に登録済みの子供等の肉声を通じて、犯罪発生を確実かつリアルに認識できるという格別の効果がある。
【００２２】
請求項５記載の発明は、連絡先の親等には、犯罪発生の事実が、無線機器に登録済みの子供等の音声メッセージによって伝えられるので、請求項１,２又は３記載の効果に加えて、親等は、無線機器に登録済みの子供等の肉声を通じて、犯罪発生を確実かつリアルに認識することができる。
【００２３】
請求項６記載の発明は、犯罪発生時に、電話通報を受けた親等は、子供等と通話できない場合でも、子供等の現在の所在位置がリアルタイムで把握できるので、請求項１，２,３,４又は５記載の効果に加えて、犯罪の発生場所を正確に把握して、子供を救助するための対策を即時実行に移して、可及的速やかな事件解決が可能になる。
【発明を実施するための最良の形態】
【００２４】
本発明は、携帯電話と通信可能なハンズフリー型無線機器を備えた緊急通報システムであって、前記携帯電話または無線機器に緊急連絡先の電話番号が予め登録されていると共に、前記無線機器には、前記緊急連絡先の電話番号に前記携帯電話を介して発信する発信手段と、該発信手段を起動させる操作手段とが設けられていることにより、子供等に非常事態が発生したとき、ランドセル等の中から携帯電話を取り出すことなく、親などが居る緊急連絡先に、非常事態発生の旨を即時に自動通報できるという目的を達成した。尚、緊急通報時に緊急連絡先に送信される音声データは、携帯電話または無線機器自体に登録しておくことができる。
【実施例】
【００２５】
以下、本発明の一実施の形態を図１及び図２に従って説明する。ハンズフリー型無線機器は携帯電話とワイヤレスで送受信可能であり、無線機器には発信用の操作部材が設けられ、携帯電話の所持者たる子供（使用者）は操作部材を介して、携帯電話を発信させることにより、自宅電話（特定の緊急連絡先）に犯罪発生の旨を即時に自動通報でき、しかも、発信操作を容易に行える。
【００２６】
尚、本実施例では、携帯電話側には特別な機能を持たせる必要がなく、ブルートゥースの一般機能を持った携帯電話であれば、無線機器側の対応のみで緊急連絡が実現できる。また、ハンズフリー型無線機器は、主にブルートゥースにより携帯電話と無線リンクされているが、無線機器自体に各種の付加機能、たとえば、マイク機能、レシーバ機能、リダイヤル機能電話番号指定による発信機能、電話番号等登録アドレス指定による発信機能などをもたせることができる。
【００２７】
無線機器としては、携帯電話用無線（主にブルートゥース）のヘッドセット又はワイヤレスハンズフリー機器を用いる。無線機器に、携帯電話を介する発信機能を有すると共に、警報ブザー音が鳴るアラーム手段を備える。
【００２８】
図１は、本実施例に係る緊急通報装置を用いた防犯システムの構成図である。図中、１
は緊急通報装置であり、緊急通報装置１は、ＧＰＳ機能付き携帯電話２と、該携帯電話２とワイヤレス通信可能な無線機器３とから成る。この無線機器３としては、携帯電話２と無線通信可能なハンドフリー機器であれば、ブルートゥース機器に限定されない。
【００２９】
無線機器３は、携帯電話２と無線通信して、緊急連絡先（自宅）４の電話番号に前記携帯電話２を介して発信する発信手段５と、ブザー音を鳴らすアラーム手段６と、該アラーム手段６及び発信手段５を作動させるひも（操作手段）７とが設けられている。ひも７を引き下げることにより、アラーム手段６及び発信手段５が起動操作されるが、操作部材はひも７に代えて押しボタンでも良い。
【００３０】
無線機器３は、図２に示すように、子供８のランドセル１３の外側面に取り付けられて使用される。無線機器３のひも７は、ランドセル１３の外側に操作可能に露呈して設けられている。ランドセル１３の中には、ブルートゥース対応型携帯電話２が入れられている。この携帯電話２と無線機器３は、双方の発信機能及び受信機能により、通信データのやり取りが随時可能になっている。
【００３１】
携帯電話２又は無線機器３の内部には、図示せぬ緊急連絡先記憶部が設けられ、該記憶部には、子供８の自宅４の電話番号があらかじめ記憶登録されている。前述の如く、無線機器３のひも７を引っ張ることにより、事前登録された自宅４の電話番号に発信される。この場合、緊急連絡先の自宅４の電話１２は、携帯電話又は固定電話のいずれでも構わない。又、ハンズフリー型無線機器３は、それ自体に緊急電話番号を記録しておくことができるが、この場合、当該無線機器３のひも又はボタン操作のみで、対応する携帯電話２を介して、電話番号付の発信要求を行うことができる。
【００３２】
また、携帯電話２又は無線機器３には、図示せぬ音声データ記憶部が設けられ、該音声データ記憶部には、音声により所定の非常用メッセージが予め記録されている。この非常用音声メッセージは、無線機器３の発信操作により、携帯電話２を介して自宅４に発信されたとき、自宅４の親９が受話すると、自動的に音声出力されるようになっている。非常用メッセージとしては、例えば、「緊急事態です。」、「助けてママ。」などの犯罪発生を伝える旨の内容が、子供８自身の肉声により登録されている。
【００３３】
連絡先である自宅４には、衛星利用即位システムＧＰＳを利用した携帯電話２の位置情報が通報される表示手段（図示省略）が設置されている。表示手段としては、パソコン又は携帯電話などのモバイル機器を利用できる。表示手段の画面を見ることで、親９は、携帯電話２を所持する子供８の現在位置情報をリアルタイムで把握しうる。
【００３４】
なお、警報ブザー付きの無線機器３は、子供８の身体に装着できるウエラブルタイプのものでもよい。この場合、無線機器３は、子供８の腕部又は首部に装着して使用することも可能である。
【００３５】
上記構成の緊急通報装置１によれば、子供８は、非常時に自宅４の親９に即座に電話連絡できる。いま、子供８が学校又は塾の帰り道に、不審者１１によって誘拐されそうになったとする。このとき子供８は、ランドセル１３に取り付けた無線機器３のひも７を引っ張ればよい。
【００３６】
すると、無線機器３の発信手段５が作動して、不審者１１を威嚇しつつＳＯＳを伝えるべく、警報ブザー６が鳴ると同時に、携帯電話２を介して、自宅４の電話１２に発信される。而して、自宅４に居る親９が電話を受け取ると、携帯電話２又は無線機器３に登録済みの「緊急事態です。」、「助けてママ。」などのメッセージが子供８の肉声で出力され、子供８に異常事態が発生したことが自動通報される。
【００３７】
上述したように、携帯電話２を所持する子供８に連れ去られようになった時、ランドセル１３に取り付けたひも７を引くと、子供８に異常事態が発生した旨が、親９に即座に音声通報される。このことにより、誘拐事件が発生する前又は早い段階で、親９は自宅４に居ながら異常事態をすばやく察知して、警察と連絡をとって犯罪拡大を未然防止すべく、子供８の救助策を即時に実行に移すことができる。
【００３８】
本実施例では、緊急時に、子供８はランドセル１３の外側に垂れるひも７を引っ張るのみで、自宅４の電話へ通報できるので、誘拐による被害を未然に防止することができる。この場合、子供８は携帯電話２をランドセル１３等から取り出す必要がないので、無線機器３の使い勝手が向上し、防犯のための緊急連絡をリアルタイムで行える。
【００３９】
更に、親９が受話した際に、「緊急事態です。」、「助けてママ。」などのメッセージが子供の肉声でリアルに伝えられるので、親９は異常事態の事実を確実に認識できる。
【００４０】
更に又、親９は、ＧＰＳの表示手段により、誘拐事件に巻き込まれた子供８の現在位置が判る。これにより、犯罪発生時に、親９は、子供８の正確な居場所をリアルタイムで把握して、子供８を救助すべく、警官等と一緒に現場に向かうことができる。
【００４１】
上述のように、発信デバイスである携帯電話２と、操作デバイスであるハンズフリー型無線機器３とは、無線リンクにより構成されるが、携帯電話２と無線機器３同士は、見通し１０ｍ程度（最大役１００ｍ）の通信距離を有している。
【００４２】
このため、仮に、ランドセル１３等に入れられた携帯電話２が、子供（使用者）８の身体から離れていた場合でも（１０ｍ程度）、使用者の手元からハンズフリー型無線機器３を手放さない限り、緊急連絡先への電話通報を手元で発信操作して、緊急通報を行うことができる。このことは、たとえば、子供８が公園でランドセル１３を傍において（身体から外して）遊んでいるときに犯罪事件が発生した場合に、無線機器３で前記緊急連絡ができなくなる確率を低くでき、もって、防犯効果を著しく高めることができる。
【００４３】
上記実施例では、子供の誘拐防止を一例に挙げて説明したが、本発明は、これに限定されず、例えば、利用者の手の届く場所又は身体に装着することにより、患者が看護師を呼ぶ際のナースコール装置として応用できる。また、一人暮らしの老人が介護者などを呼ぶ際の通報装置、痴漢やストーカの緊急通報装置、あるいは、迷い子の合図通報用装置としても応用できる。
【００４４】
また、本発明装置は、自宅、寮、マンション、学校などの建物の窓や扉に取り付けることにより、建物における防犯装置としても利用することができる。この場合、警備会社に大金を支払って契約しなくても良いので、低コスト化が図られる。
【００４５】
尚、本発明は、本発明の精神を逸脱しない限り種々の改変を為すことができ、そして、本発明が該改変されたものに及ぶことは当然である。
【図面の簡単な説明】
【００４６】
【図１】本発明の一実施の形態を示し、緊急通報装置を使用したシステム構成例を示す説明図。
【図２】一実施の形態に係る緊急通報装置をランドセルに取り付けた使用例を示す説明図。
【符号の説明】
【００４７】
１    携帯電話連動型緊急通報装置
２    携帯電話
３    無線機器（携帯電話対応ブル−トゥース機器）
４    自宅（緊急連絡先）
５    発信手段
６    アラーム手段
７    ひも（操作手段）
８    子供
９    親
１１  不審者
１２  電話
１３  ランドセル（携帯品）
【図１】
2006311142.tif 000003
【図２】
2006311142.tif 000004